(57)【要約】      （修正有）【課題】取り扱いが簡便であって、かつ測定精度に優れた傾斜計であって、特に、パチンコ遊技機設置用に適したパチンコ遊技機用傾斜計を提供する。【解決手段】片手で把持可能な把持部分を有する長尺状の部材からなる把持部材１と、この把持部材の下端部に固着した台座部２と、把持部材の上端部に固着した筐体状本体３とを有し、この筐体内に本体の鉛直方向に対する傾き角を検出する角度検出手段および表示部４を収容してなり、上記角度検出手段として半導体式静電容量型加速度センサを用いたことにより、取扱が容易でかつ測定精度に優れたパチンコ遊技機用傾斜計を実現した。【選択図】図１
0003164592.tif 000002
【実用新案登録請求の範囲】
【請求項１】
片手で把持可能な把持部分を有する長尺状の部材からなる把持部材と、この把持部材の下端部に固着した台座部と、上記把持部材の上端部に固着した筐体状本体とを有し、鉛直方向に対する傾き角を検出する角度検出手段としての半導体式静電容量型加速度センサを上記筐体状本体内に収容してなることを特徴とするパチンコ遊技機用傾斜計。
【請求項２】
上記台座部及び筐体状本体の各測定面部に対向する反対面側にそれぞれ基準面部を有するとともに、この基準面部に接する仮想平面Ｓａが、上記台座部及び上記筐体状本体に設けた各測定面部が接する仮想平面Ｓｂに対して平行であるように、上記基準面部が構成されていることを特徴とする請求項１記載のパチンコ遊技機用傾斜計。
【請求項３】
上記長尺状把持部材を二重構造の円筒状部材により構成し、内部に動作電源用電池を収納したことを特徴とする請求項１または請求項２記載のパチンコ遊技機用傾斜計。
【考案の詳細な説明】
【技術分野】
【０００１】
本考案は、傾き測定器に関するものであり、詳しくは、パチンコ遊技機の盤面の傾きを測定するのに適したパチンコ遊技機用傾斜計に関する。
【背景技術】
【０００２】
パチンコ遊技機を設置するときは、通常、パチンコ遊技機の盤面が鉛直線よりも僅かに後方に傾斜するように調整して設置する。パチンコ遊技機盤面の傾斜角が浅過ぎると、遊技球が流下するときに遊技釘に絡み難くなるうえに、遊技球が入賞口に入り難くなるなどの問題が生じるためである。また、傾斜角が深過ぎると遊技球が遊技盤面に当たって跳ね回ることとなる。すなわち、遊技機盤面の傾斜角が浅くても深くても遊技球が暴れてしまい、遊技球の安定した流下が望めない。このため、適切な傾斜角で設置されていないパチンコ遊技機では正常な遊技が行えず、遊技者の興趣が削がれてしまう。
パチンコ遊技機において、盤面の傾きは、盤面に設けられる釘の間隔とともに出玉率を左右する重要な要因であり、パチンコ遊技機で遊技を楽しむためには、パチンコ遊技機の盤面が適正な傾斜角に調整されていることは重要な課題である。そのため、パチンコ遊技機を設置する際には、一般的に、盤面の傾きが適正な傾きになるように、パチンコ遊技機の台の傾きを測定しながら設置している。
【０００３】
従来、パチンコ遊技機の台の傾きを測定する方法として、例えば、少しずつ角度をずらした複数の気泡管を備えた水準器を台の前面に押し当て、各段の気泡の位置を目盛で読み取ることにより台の傾きを測定することが行われている。
特許文献１には、本体と、この本体の上部および下部に突設されパチンコ遊技機の盤に設けられる釘やかざりの高さよりも長さが長い複数の脚部を有し、一方の脚部は他方の脚部からの距離が異なるように位置調整可能に設けてなり、鉛直方向に対して前記脚部が突出する方向の本体の傾き角を検出する角度検出手段としては、例えば、内側表面に誘電体層を有する一対の半球体を絶縁ワッシャを挟んで向かい合わせに配置することにより内部に球形空洞を形成し、この球形空洞内に水銀のような導電性液体を半分より僅かに多く満たした構造の角度検出手段を備えた傾斜計とすることで、釘やかざりなどが設けられている盤面の傾きを直接正確に測定可能なパチンコ遊技機用傾き測定器が記載されている。
【先行技術文献】
【特許文献】
【０００４】
【特許文献１】特開平８−３３８７２０号公報
【考案の概要】
【考案が解決しようとする課題】
【０００５】
上記気泡管を用いた傾斜計は、アナログ式の傾斜計を多段に設置したものであり、目視による計測であるためにある程度の熟練が求められること、また、測定精度が低いという問題がある。また、特許文献１記載のものは、釘やかざりなどが設けられている盤面の傾きを直接に測定可能であるという利点はあるが、脚部の位置調整をボルト等で調整していること、角度検出手段として導電性液体を用いていること等から、測定精度や取扱い面での課題を有している。
近年、パチンコ遊技施設管理の効率化の観点から、取扱いが容易であり、且つパチンコ遊技機の盤面の傾きを簡単かつ高精度に測定することができるパチンコ遊技機用傾斜計の実現が求められている。
【課題を解決するための手段】
【０００６】
請求項１に係るパチンコ遊技機用傾斜計は、片手でしっかりと把持可能な適度な太さを有する長尺状把持部材と、この把持部材の下端側に固着された台座部と、前記把持部材の上端側に固着した筐体状本体を有し、上記台座部の一端面側と上記筐体状本体の一端面側に同一平面に接する測定面部が設けられるとともに、上記筐体状本体内には鉛直方向に対する傾き角を検出する角度検出手段等を収容してなるものであって、上記角度検出手段として半導体式静電容量型加速度センサを用いたことを特徴とするものである。
このように構成することで、片手で簡便に取扱うことが可能であって、パチンコ遊技機盤面の傾きを迅速かつ高精度に測定することができるとともに、測定結果をデジタル表示により容易に測定者が認識できる。
【０００７】
請求項２に係るパチンコ遊技機用傾斜計は、請求項１記載のものにおいて、上記台座部及び筐体状本体の各測定面部に対向する反対面側にそれぞれ基準面部を有するとともに、この基準面部に接する仮想平面Ｓａが、上記台座部及び上記筐体状本体に設けた各測定面部が接する仮想平面Ｓｂに対して平行であるように、上記基準面部が構成されていることを特徴とするものである。
このように構成することで、キャリブレーション（ゼロ点調整）は、傾斜計を１８０度反転して被測定面に押し当てて測定することで容易に行なうことができる。
【０００８】
請求項３に係るパチンコ遊技機用傾き測定器は、請求項１または請求項２記載のものにおいて、上記長尺状把持部材を二重構造の円筒状部材により構成し、内部に動作電源用電池を収納したことを特徴とするものである。
このように構成することで、筐体状本体の形状を小型化できて取り扱いをより容易にできる。また、電池交換を、本体内のセンサや電子回路部品に触れる恐れや、埃の侵入などの恐れなしに、容易に行うことができる。
【考案の効果】
【０００９】
本考案によれば、取扱が容易であり，高精度で且つ信頼性の高い傾き測定が可能な、パチンコ遊技機設置用の傾斜計を実現することができる。
【図面の簡単な説明】
【００１０】
【図１】本考案によるパチンコ遊技機用傾斜計の一実施例を示す概略構成説明図である。
【図２】本考案のパチンコ遊技機用傾斜計における基準面および測定面についての部分拡大説明図である。
【考案を実施するための形態】
【００１１】
以下、本考案を実施例に基づいて、詳細に説明する。
【実施例】
【００１２】
本考案によるパチンコ遊技機用傾斜計の一実施態様を図１に示す。図１において、（ａ）は正面図、（ｂ）は側面図である。図１に示すように、本考案によるパチンコ遊技機用傾斜計は、長尺円筒状の把持部材１と、この把持部材１の下端側に固着された台座部２と、把持部材１の上端側に固着された筐体状本体３を有する。把持部材１と台座部２、および把持部材１と筐体状本体３とは、それぞれ接着剤等により強固に固着され、一体化される。これら部材を接合して一体化するときには、単に相互の部材を所定の位置で突き合わせた状態で両部材を接合しても良いが、組立精度および接合の信頼性の観点からは、あらかじめ台座部２および本体３の所定箇所に座穴を設けておいて、この座穴に把持部材１の端部を挿入嵌合して接合することが好ましい。なお、ねじによりこれら部材を固定する方法を採用しても良いが、ねじのゆるみなどの経年変化による測定精度への影響などを生ずる可能性がある。
筐体状本体３の正面側には、デジタル表示部４やゼロ調整ツマミ５などを配設する。また、図示は省略するが、筐体状本体３の筐体内部には、鉛直方向に対する傾き角を検出する角度検出手段としての半導体式静電容量型加速度センサおよび測定回路部品等が収容されている。
【００１３】
図１に示すように、本考案による傾斜計においては、筐体状本体３および台座部２の一方の側面部（例えば、図１における右側の側面部部分）６ａおよび６ｂには、把持部材１の軸方向に平行な一つの仮想平面Ｓａを共通な接面とする、平面部７ａおよび平面部７ｂが形成されており、これら平面部７ａおよび平面部７ｂをゼロ点補正用の基準面としている。また、筐体状本体３および台座部２の他方の側面部（例えば、図１における左側の側面部分）８ａおよび８ｂには、前記一つの仮想平面Ｓａに対して平行で且つ把持部材１を対称軸とする他の仮想平面Ｓｂを共通な接面とする、平面部９ａおよび平面部９ｂが形成されており、これら平面部９ａおよび平面部９ｂを測定面としている。
図１に示すものにおいては、台座部２における基準面７ｂおよび測定面９ｂは、ほぼ台座部側面全域を利用して形成されているが、本考案において、台座部２および本体３に形成する測定面または基準面は、例えば、図２に示すように、台座部２または本体３の側面部分６に、突出した部位１０を設け、突出部位１０の先端部分を平面加工して基準面７または測定面９を形成しても良い。このように形成することで、被測定面との面接触がより確実になり、より正確に測定することができる。なお、突出部位の形態としては、図２（ａ）および（ｂ）に例示するように、断面が円弧状、台形状、三角形状など種々のものを採用して良く、高さや幅・奥行きは、被測定部位の形状に対応して適宜に選択決定する。
【００１４】
本実施態様においては、把持部材１から距離Ｘａ離れている平面部７ａおよび平面部７ｂは、ゼロ点補正を行うときに用いる基準面とし、把持部材１から距離Ｘｂ離れている平面部９ａおよび平面部９ｂがパチンコ遊技機若しくはパチンコ遊技機取付架台等の傾きを測定するときに用いる測定面としており、基準面の把持部材１からの距離Ｘａは測定面の離間距離Ｘｂよりも小さくしている。このように、把持部材１からの離間距離を違えることで、いずれの面が基準面か測定面なのか作業者が容易に認識できる。
また、基準面は測定器のゼロ点調整を行うときに使用するが、本考案による傾斜計では、角度検出手段として半導体式静電容量型加速度センサを用いているために、ゼロ点補正は作業開始前に一度実施する程度で済む。このため、基準面側の距離Ｘａは、把持部を片手で保持して測定基準面に基準面（平面部７ａおよび平面部７ｂ）を押し当てたときに、把持する手指が測定基準平面に当接しない程度の距離とすることが望ましく、このようにすることで、傾斜計をコンパクトに作成することができる。なお、測定面（平面部９ａおよび平面部９ｂ）側の距離Ｘｂは、測定面をパチンコ遊技機台若しくは設置架台に押し当てた状態で、デジタル表示部の読み取りを容易に行えるように、ある程度の大きさを維持することが好ましい。
【００１５】
本考案においては、角度検出手段として、Micro Electro Mechanical Systems（ＭＥＭＳ）技術により作製された半導体式静電容量型加速度センサを用いることを特長としている。ＭＥＭＳ技術は、機械要素部品、センサ、アクチュエータ、電子回路を一つのシリコン基板、ガラス基板、有機材料などの上に集積化したデバイスを実現する技術であり、ＭＥＭＳ技術により得られるデバイスは、高精度で耐久性に優れ、衝撃等の影響も少ない利点を有している。本考案においては、かかるＭＥＭＳ技術により作製された半導体式静電容量型加速度センサを採用することにより、従来の機械式や光学式の加速度センサでは解決できなかった、製造・調整・保守に手間がかかりコストを押し上げ、小型化や知能化にも向かないという問題点を解消することができた。
本考案で採用している半導体式静電容量型加速度センサは、図示は省略するが、例えば、微小な櫛歯型の固定電極と、可動電極の組み合わせから構成されているものである。可動電極は中央のマス（おもり）が、スプリング状のビームによって両側から支えられた構造になっており、固定電極の櫛歯の並び方向に加速度が加わると、このマスが移動する。この時、可動電極の櫛歯と、固定電極の櫛歯の間の静電容量が変化する。梁構造で支えられた微小な可動部でのわずかな位置変化を静電容量の変化として検出し、電気回路によって増幅・計測するものであり、静電容量を検出する櫛の歯型の構造を荒い箇所と細かな箇所の２種類を有することで、より検出精度を向上しているものなどがある。
【００１６】
本考案において、把持部材１のほぼ中央の把持部分１１は、片手で確実に把持することが出来るような適度な太さを有すると共に、片手で傾斜計を保持したときに手が滑ることがないように、例えばローレット加工等を施しておくことが好ましい。また、把持部分の外形形状は円筒状に限定されるものではなく、握りやすい形状であれば、楕円形状など他の形状であっても良い。なお、把持部分以外の部分の外形形状は、円筒状や楕円形状に限らず角柱状でも良いことは言うまでも無い。
上記実施態様において、把持部材１の下端部に固着した台座部２は、ほぼ直方体形状としているが、このように構成することで、非使用時に傾斜計を自立させて置くことができる。これにより、非使用時には、傾きがゼロの状態に維持されるため、加速度センサ部分に不要な重力がかかることによって生ずる経時変化によるゼロ点移動などの影響を低減することができる。
また、図１に示すものにおいては、筐体状本体３は略直方体形状であり、その正面側に表示手段やゼロ調整ツマミなどを配置したが、角度検出手段としての加速度センサの構造や処理回路の構成等の関係で筐体内の配設位置や形状を任意に変更できることは言うまでも無い。
【００１７】
図１に示したように、本考案傾斜計においては、基準面に接する仮想平面Ｓａは把持部材１の軸方向（鉛直方向）に対して平行であり、測定面に接する仮想平面Ｓｂも把持部材１の軸方向に対して平行であり、かつ仮想平面Ｓａと仮想平面Ｓｂとは平行な面であるように構成されている。このため、台座部および本体の基準面を被測定物に当接して測定した後、傾斜計を１８０°回転させて、台座部および本体の測定面を被測定物に当接して測定すれば、理論上、検出される傾き量は、向き（＋，−）が違うだけで、同じ値になる。したがって、本考案の傾斜計においては、１８０°反転させたときの傾きの量が同じ値となるように調整することで、容易にゼロ点のチェック・修正が可能である。
また、本考案において、上記長尺状把持部材を二重構造の円筒状部材により構成し、内部に動作電源用電池を収納するように構成すれば、筐体状本体の形状を小型化でき、取り扱いをより容易にできる。なお、図示は省略するが、台座部２の底面には電池蓋が設けられており、電池はこの部分から取付・取り外しが容易に出来るとともに、電池交換を行う際に、筐体状本体の蓋を取り外すことによる内部のセンサや電子回路部品への悪影響を回避できる。
【産業上の利用可能性】
【００１８】
本考案のパチンコ遊技機用傾斜計によれば、従来の欠点を解消し、パチンコ遊技機の傾きを正確かつ迅速に測定可能であるため、パチンコ遊技機の設置や管理に有用である。
【符号の説明】
【００１９】
１  把持部材
２  台座部
３  本体
４  表示部
５  ゼロ調整ツマミ
７、７ａ，７ｂ  基準面
９、９ａ，９ｂ  測定面
１０  突起部
１１  把持部
Ｓａ  基準面に接する仮想平面
Ｓｂ  測定面に接する仮想平面
Ｘａ  基準面と把持部材の離間距離
Ｘｂ  測定面と把持部材の離間距離
【図１】
0003164592.tif 000003
【図２】
0003164592.tif 000004